【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
移動端末内で遅れて実行できるエアインタフェースを介したデータファイル転送に関する１つまたはそれ以上のタスクを実行する命令を前記移動端末内で受信することと、
前記命令を前記移動端末内に記憶することと、
前記移動端末が充電デバイスに結合されているかどうかを前記移動端末内でチェックすることと、
前記移動端末と前記充電デバイスとの間の電気的接続の有無を判断し、前記判断が接続有りであることに応じて、前記エアインタフェースを介した前記データファイル転送のタスクを前記移動端末内で実行することと、
を含む、方法。
【請求項２】
前記命令を受信することが、前記移動端末のユーザ・インタフェースを介してユーザから命令を受信することを含む、請求項１に記載の方法。
【請求項３】
前記命令を受信することが、保守または更新プロセスによってトリガされる前記移動端末内で内部的に生成される命令を受信することを含む、請求項１または２に記載の方法。
【請求項４】
前記方法が、前記命令内の処理すべきデータの少なくとも一部を、記憶のために前記充電デバイスに転送することと、前記エアインタフェースを介した前記データファイル転送のタスクの実行こと中に前記データを取り出すこととをさらに含む、請求項１に記載の方法。
【請求項５】
前記命令内の処理すべきデータの少なくとも一部を、記憶および処理のために前記充電デバイスに転送することと、前記エアインタフェースを介した前記データファイル転送のタスクの実行こと中に前記充電デバイスから処理されたデータを取り出すこととをさらに含む、請求項１に記載の方法。
【請求項６】
ある期間内にユーザのバッテリ充電ルーチンを移動端末内で学習することと、
前記移動端末が充電器に接続されている尤度が高い時間間隔を前記移動端末内で計算することと、
遅れて実行でき、エアインタフェースを介した１つまたはそれ以上のデータファイル転送のタスクを実行する命令を前記移動端末内で受信することと、
前記命令を前記移動端末内に記憶することと、
前記計算された時間間隔の１つに入ると前記エアインタフェースを介した前記データファイル転送のタスクを前記移動端末内で実行することと、
を含む、方法。
【請求項７】
前記命令を受信することが、前記移動端末のユーザ・インタフェースを介してユーザから命令を受信することを含む、請求項６に記載の方法。
【請求項８】
前記命令を受信することが、保守または更新プロセスによってトリガされる前記移動端末内で内部的に生成される命令を受信することを含む、請求項６または７に記載の方法。
【請求項９】
前記時間間隔内に前記インタフェースを介した前記データファイル転送のタスクを実行することが、最小限のコストで少なくとも最小の許容サービス品質（ＱｏＳ）を提供する接続速度および／または通信チャネルを用いて実行される、請求項６に記載の方法。
【請求項１０】
前記時間間隔内に前記インタフェースを介した前記データファイル転送のタスクを実行することが、前記移動端末がバッテリ充電装置に結合されているかどうかをチェックし、前記インタフェースを介した任意のデータファイル転送のタスクの実行を開始するか否かを所定の規則のセットに従って決定する追加のことを含む、請求項６に記載の方法。
【請求項１１】
ある期間内にユーザのバッテリ充電ルーチンを移動端末内で学習することと、
前記移動端末が充電器に接続されている尤度が高い時間間隔を前記移動端末内で計算することと、
前記移動端末内で遅れて実行でき、エアインタフェースを介した１つまたはそれ以上のデータファイル転送のタスクを実行する命令を前記移動端末内で受信することと、
前記時間間隔中に実行すべき前記命令を前記移動端末内に記憶することと、
前記時間間隔に入ると、前記移動端末が前記充電デバイスに結合されているかどうかを前記移動端末内でチェックし、接続されている場合には前記エアインタフェースを介した前記データファイル転送のタスクを実行することと、
前記移動端末が前記充電デバイスに結合されていない場合には、以下の条件、すなわち、
前記移動端末が前記充電デバイスに接続される、
前記エアインタフェースを介した前記データファイル転送のタスクの実行延期の最大制限時間が近づいている、
利用可能なバッテリ電力レベルが限界に近づいていて、前記エアインタフェースを介した、前記遅延させられたデータファイル転送のタスクの少なくとも一部の実行が危ぶまれる、
のいずれか１つが最初に満たされるまで、前記時間間隔内での前記エアインタフェースを介した前記データファイル転送のタスクの実行を遅延させることと、
を含む、方法。
【請求項１２】
タスクを処理するための処理手段と、
前記タスクをタイミングどおりに実行するためのタイミング手段と、
前記タスクの各々に関連する命令およびデータを記憶するためのメモリ手段と、
を備え、エアインタフェースを介した、遅延可能なデータファイル転送のタスクに関する受信した命令を前記メモリ手段内に記憶し、充電デバイスに結合されるまで待ち、前記充電デバイスに結合されたことに応じて、前記エアインタフェースを介した前記データファイル転送のタスクを実行するように構成される、移動無線通信端末。
【請求項１３】
前記エアインタフェースを介した、遅延可能なデータファイル転送のタスクに関する記憶された命令の少なくとも一部が、前記端末のユーザ・インタフェースを介してもともとはユーザから受信される、請求項１２に記載の移動無線通信端末。
【請求項１４】
前記エアインタフェースを介した、遅延可能なデータファイル転送のタスクに関する記憶された命令の少なくとも一部が、前記端末の内部保守または更新プロセスによって生成される、請求項１２に記載の移動無線通信端末。
【請求項１５】
タスクを処理するための処理手段と、
前記タスクをタイミングどおりに実行するためのタイミング手段と、
前記タスクの各々に関連する命令およびデータを記憶するためのメモリ手段と、
前記端末と充電デバイスとの間のデータ接続を行うためのデータ伝送手段と、
を備え、前記命令内の処理すべきデータの少なくとも一部を、記憶のために前記充電デバイスに転送し、エアインタフェースを介したデータファイル転送のタスクの実行中に前記記憶されたデータを取り出すように構成される、移動無線通信端末。
【請求項１６】
前記命令内の処理すべきデータの少なくとも一部を処理のために前記充電デバイスに転送し、前記タスクの実行中に処理されたデータを取り出すように構成される、請求項１５に記載の移動無線通信端末。
【請求項１７】
移動無線通信端末であって、前記端末が、
タスクを処理するための処理手段と、
前記タスクをタイミングどおりに実行するためのタイミング手段と、
前記タスクの各々に関連する命令およびデータを記憶するためのメモリ手段と、
を備え、前記処理手段が、ある期間内にユーザのバッテリ充電ルーチンを学習し、前記端末が充電器に接続されている尤度が高い時間間隔を計算し、前記計算された時間間隔の１つに入ると前記メモリ内に記憶された命令を実行して、エアインタフェースを介した、１つまたはそれ以上の遅延可能なデータファイル転送のタスクを実行するように構成される、移動無線通信端末。
【請求項１８】
前記処理手段が、最小限のコストで少なくとも最小の許容サービス品質（ＱｏＳ）を提供する接続速度および／または通信チャネルを用いて前記時間間隔内に前記エアインタフェースを介した前記データファイル転送のタスクを実行するように構成される、請求項１７に記載の移動無線通信端末。
【請求項１９】
前記処理手段が、前記移動端末がバッテリ充電デバイスに結合されているかどうかを前記実行段階でチェックし、前記エアインタフェースを介した、任意のデータファイル転送のタスクの実行を開始するか否かを所定の規則のセットに従って決定するように構成される、請求項１７に記載の移動無線通信端末。
【請求項２０】
好ましいトラヒック状況および転送コストの利用を可能にするためにサービス・プロバイダおよび／またはネットワーク通信業者と通信するように構成される、請求項１８に記載の移動無線通信端末。
【請求項２１】
移動無線通信端末であって、前記端末が、タスクを処理するための処理手段および前記タスクをタイミングどおりに実行するためのタイミング手段と、そのようなタスクの各々に関連する命令およびデータを記憶するためのメモリ手段とを含み、前記端末が、ある期間内にユーザのバッテリ充電ルーチンを学習し、前記移動端末が充電器に接続されている尤度が高い時間間隔を計算し、前記エアインタフェースを介した、遅れて実行できる１つまたはそれ以上のデータファイル転送のタスクを実行する命令を前記移動端末内で受信し、メモリ内に命令を記憶し、前記端末が前記充電デバイスに接続されているかどうかを前記端末内でチェックし、接続されている場合には前記エアインタフェースを介した前記データファイル転送のタスクを実行し、または、前記移動端末が前記充電デバイスに接続されていない場合には、以下の条件、すなわち、
前記移動端末が前記充電器に接続される、
前記エアインタフェースを介した前記データファイル転送のタスクの実行遅延の最大制限時間が近づいている、
利用可能なバッテリ電力レベルが限界に近づいていて、前記エアインタフェースを介した、前記遅延されたデータファイル転送のタスクの少なくとも一部の実行が危ぶまれる、
のいずれか１つが最初に満たされるまで、前記時間間隔内での前記エアインタフェースを介した前記データファイル転送のタスクの実行を遅延させるように構成される、移動無線通信端末。
【請求項２２】
実質的にＵＭＴＳ端末である、請求項１２、１７または２１に記載の移動無線通信端末。
【請求項２３】
移動無線通信端末のバッテリを充電可能な充電デバイスであって、前記充電デバイスが、前記充電デバイスと移動無線通信端末との間の双方向データ接続のためのデータ伝送手段を含み、前記充電デバイスがデータを記憶するためのメモリ手段を含み、前記充電デバイスが、前記端末によって実行すべきエアインタフェースを介したデータファイル転送のタスクに関連する命令内の処理すべきデータの少なくとも一部を記憶するように構成され、前記端末から要求があれば前記移動端末に前記記憶されたデータを返送するように構成される、充電デバイス。
【請求項２４】
移動無線通信端末のバッテリを充電可能な充電デバイスであって、前記充電デバイスが、前記充電デバイスと移動無線通信端末との間の双方向データ接続のためのデータ伝送手段を含み、前記充電デバイスがデータを記憶するためのメモリ手段を含み、前記充電デバイスが、前記端末と前記充電デバイスとの間のエアインタフェースを介したデータファイル転送のタスク実行を共有するための処理手段を備える、充電デバイス。
【請求項２５】
前記端末のために前記エアインタフェースを介したデータファイル転送タスクの前記実行をするための処理手段を備える、請求項２４に記載の充電デバイス。
【請求項２６】
移動無線通信端末の処理手段に、タスクを遅延実行するためのプロセスを実行させるコンピュータプログラムであって、前記端末が、タスクを処理するための前記処理手段および前記タスクをタイミングどおりに実行するためのタイミング手段を含み、前記端末が、そのようなタスクの各々に関連する命令およびデータを記憶するためのメモリ手段を含み、前記プロセスが、
前記移動端末がエアインタフェースを介したデータファイル転送のタスクを実行する少なくとも１つの命令を受信することと、
前記端末が前記エアインタフェースを介した前記データファイル転送のタスクを前記エアインタフェースを介した、遅延可能なバックグラウンドデータファイル転送のタスクとして識別することと、
前記端末が前記エアインタフェースを介した、遅延可能なデータファイル転送のタスクの実行に関連するデータをメモリ内に記憶することと、
前記端末のバッテリと充電デバイスの電源との間の接続の有無を判断し、前記判断が接続有りであることに応じて、前記端末が前記端末の処理手段を用いて前記エアインタフェースを介した前記データファイル転送のタスクを実行することと、
を含む、コンピュータプログラム。
【請求項２７】
前記エアインタフェースを介した遅延可能なデータファイル転送のタスクに関する前記受信された命令が、前記端末のユーザ・インタフェースを介してユーザから受信される、請求項２６に記載のコンピュータプログラム。
【請求項２８】
前記エアインタフェースを介した遅延可能なデータファイル転送のタスクに関する前記受信された命令が、前記移動端末内で内部的に生成され、メモリ内に記憶された保守または更新プロセスによってトリガされ、前記処理ユニット内で実行される、請求項２６に記載のコンピュータプログラム。
【請求項２９】
前記エアインタフェースを介した遅延可能なデータファイル転送のタスクの前記識別に関する情報が前記受信された命令に含まれる、請求項２６に記載のコンピュータプログラム。
【請求項３０】
前記エアインタフェースを介した遅延可能なデータファイル転送のタスクの前記識別に関する情報が前記端末のメモリ内に記憶された所定の緊急タスク・リストにある、請求項２６に記載のコンピュータプログラム。
【請求項３１】
移動無線通信端末の処理手段に、タスクを遅延実行するためのプロセスを実行させるコンピュータプログラムであって、前記端末が、タスクを処理するための前記処理手段および前記タスクをタイミングどおりに実行するためのタイミング手段を含み、前記端末が、そのようなタスクの各々に関連する命令およびデータを記憶するためのメモリ手段を含み、前記プロセスが、
前記移動端末がエアインタフェースを介したデータファイル転送のタスクを実行する少なくとも１つの命令を受信することと、
前記端末が前記エアインタフェースを介した前記データファイル転送のタスクを遅延可能なバックグラウンド・タスクとして識別することと、
前記端末が前記エアインタフェースを介した、遅延可能なデータファイル転送のタスクの実行に関連するデータをメモリ内の待ち行列に記憶することと、
前記端末が充電デバイスに接続されている事前計算された時間間隔に入ると、前記端末がユーザのバッテリ充電ルーチンの学習に基いて、処理ユニットを用いて前記エアインタフェースを介した前記データファイル転送のタスクを実行することと、
を含む、コンピュータプログラム。
【請求項３２】
前記端末が前記時間間隔内および前記エアインタフェースを介した前記データファイル転送のタスク実行前に前記端末が充電デバイスに結合されているかどうかをチェックし、前記エアインタフェースを介した前記データファイル転送のタスクの実行を開始するか否かを所定の規則のセットに従って決定する、請求項３１に記載のコンピュータプログラム。